(57)【要約】【課題】  バスト全体を高く持ち上げ、バストの造形性を高めることができるカップ部を有する衣類を提供する。【解決手段】  本発明のカップ部を有する衣類は、一対のカップ部１０１およびバック部１０３を含み、バック部１０３は、一対のカップ部１０１の脇側に取り付けられ、カップ部１０１は、カップ部１０１肌側の前中心側上辺部分と脇側上辺部分との間に上バスト保持部１０５を含み、上バスト保持部１０５は、バストトップよりも脇側斜め上方に位置する上バスト領域の少なくとも一部を覆うように形成され、前記一部に押圧力を作用させることを特徴とする。【選択図】  図１
2014196583.tif 000002
【特許請求の範囲】
【請求項１】
カップ部を有する衣類であって、
一対のカップ部およびバック部を含み、
前記バック部は、前記一対のカップ部の脇側に取り付けられ、
前記カップ部は、前記カップ部肌側の前中心側上辺部分と脇側上辺部分との間に上バスト保持部を含み、
前記上バスト保持部は、バストトップよりも脇側斜め上方に位置する上バスト領域の少なくとも一部を覆うように形成され、前記一部に押圧力を作用させることを特徴とするカップ部を有する衣類。
【請求項２】
前記カップ部は、伸縮性素材を含み、
前記上バスト保持部は、伸縮性素材を前記カップ部肌側に取り付けて形成されていることを特徴とする請求項１記載のカップ部を有する衣類。
【請求項３】
前記カップ部は、非着用状態においてカップ形状を保持できるように張りを有する素材によって形成されており、
前記上バスト保持部は、その下辺部の少なくとも一部が前記カップ部から離間するように伸縮性素材を前記カップ部肌側に取り付けて形成されていることを特徴とする請求項１または２記載のカップ部を有する衣類。
【請求項４】
さらに、一対の肩ストラップを含み、
前記肩ストラップは、前記上バスト保持部の脇側部分または前記上バスト保持部よりも脇側の位置で前記カップ部に連結されていることを特徴とする請求項１から３のいずれか一項に記載のカップ部を有する衣類。
【請求項５】
さらに、一対の肩ストラップを含み、
前記肩ストラップは、前記上バスト保持部の上方部分で前記カップ部に連結されていることを特徴とする請求項１から３のいずれか一項に記載のカップ部を有する衣類。
【請求項６】
前記上バスト保持部は、着用状態で、
バストトップを通る第１仮想垂線と、
前記第１仮想垂線の脇側３ｃｍの位置を通り前記第１仮想垂線と並行を成す第２仮想垂線と、
バストトップ上方を通り、バストトップまでの距離が２ｃｍである第１仮想水平線と、
前記第１仮想水平線の上方４ｃｍの位置を通る第２仮想水平線と
によって囲まれたバストの領域の少なくとも一部を押圧するように形成されていることを特徴とする請求項１から５のいずれかに記載のカップ部を有する衣類。
【請求項７】
前記上バスト保持部が、メッシュ状部材を含むことを特徴とする請求項１から６のいずれか一項に記載のカップ部を有する衣類。
【請求項８】
前記衣類がブラジャーであることを特徴とする請求項１から７のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類には、バストを持ち上げてバストのシルエットを整えるために、カップ部の肌側にパッドまたはサポート部材等が設けられているものがある。例えば、特許文献１では、カップ部の肌側に、前中心側から下側を経て脇側にかけて配置された伸縮性を有するサポート部材を備え、前記サポート部材の脇側の上縁部は肩ストラップでつり上げられる構造をなしており、前記サポート部材の下縁部は、前記カップ部の脇側部分と前中心側部分でカップワイヤ部にそれぞれ取り付けられ、これらに挟まれた中間部分でカップワイヤ部およびカップ部の双方より遊離しているカップ付き女性用衣類が提案されている。
【先行技術文献】
【特許文献】
【０００３】
【特許文献１】特許第４５１０５９４号公報
【発明の概要】
【発明が解決しようとする課題】
【０００４】
しかし、前記特許文献１の衣類を含む従来のカップ部を有する衣類は、バストを下から押すことで、バストを持ち上げようとするものであった。そのため、前記従来の衣類では、前記サポート部材等のバストを持ち上げる部材によって押される部分のバストが変形するのみであり、バスト全体を高い位置に持ち上げることが困難であるという問題があった。特に、加齢によって下垂が進んだバストは、バストが削げて上胸にボリュームがなく、下から押し上げたとしても上胸にはボリュームが出にくいという特徴があるため、前記問題が顕著に表れる。
【０００５】
そこで、本発明は、バスト全体を高く持ち上げ、バストの造形性を高めることができるカップ部を有する衣類を提供することを目的とする。
【課題を解決するための手段】
【０００６】
前記目的を達成するために、本発明のカップ部を有する衣類は、
一対のカップ部およびバック部を含み、
前記バック部は、前記一対のカップ部の脇側に取り付けられ、
前記カップ部は、前記カップ部肌側の前中心側上辺部分と脇側上辺部分との間に上バスト保持部を含み、
前記上バスト保持部は、バストトップよりも脇側斜め上方に位置する上バスト領域の少なくとも一部を覆うように形成され、前記一部に押圧力を作用させることを特徴とする。
【発明の効果】
【０００７】
本発明のカップ部を有する衣類は、上記のような構成であるため、バスト全体を高く持ち上げ、バストの造形性を高めることができる。
【図面の簡単な説明】
【０００８】
【図１】図１は、本発明の第１の実施形態のブラジャー１００を示す斜視図である。
【図２】図２（ａ）は、前記第１の実施形態のブラジャー１００の上バスト保持部を示す図である。図２（ｂ）は、前記上バスト保持部のその他の例を示す図である。
【図３】図３は、前記第１の実施形態のブラジャー１００のカップ部を図１におけるＩ−Ｉ方向に見た断面図である。
【図４】図４は、上バスト保持部の作用を説明する図である。
【図５】図５は、前記第１の実施形態のブラジャー１００のカップ部を肌側から見た図である。
【図６】図６は、肩ストラップの作用を説明する図である。
【図７】図７（ａ）〜（ｃ）は、前記第１の実施形態のブラジャー１００の好ましい着用の仕方を説明するための図である。
【図８】図８（ａ）および図８（ｂ）は、前記第１の実施形態のブラジャー１００のその他の例を示す図である。
【図９】図９は、本発明の第２の実施形態のブラジャー２００を示す斜視図である。
【図１０】図１０は、前記第２の実施形態のブラジャー２００のカップ部を図９におけるＩＩＩ−ＩＩＩ方向に見た断面図である。
【図１１】図１１は、本発明の第３の実施形態のブラジャー３００を示す斜視図である。
【図１２】図１２は、本発明の第４の実施形態のブラジャー４００を示す斜視図である。
【図１３】図１３は、前記第４の実施形態のブラジャー４００の上バスト保持部を示す図である。
【図１４】図１４は、前記第４の実施形態のブラジャー４００のカップ部を図１２におけるＩＶ−ＩＶ方向に見た断面図である。
【図１５】図１５（ａ）および図１５（ｂ）は、前記第４の実施形態における上バスト保持部の作用を説明する図である。
【図１６】図１６（ａ）および図１６（ｂ）は、前記第４の実施形態のその他の例を示す図である。
【図１７】図１７（ａ）は、本発明の第５の実施形態のブラキャミソール５００を示す斜視図であり、図１７（ｂ）は、本発明の第６の実施形態のブラキャミソール６００を示す斜視図である。
【図１８】図１８（ａ）および図１８（ｂ）は、着用評価におけるバストの形状を示す図である。
【図１９】図１９（ａ）〜（ｄ）は、着用評価におけるバストの形状を示す図である。
【図２０】図２０（ａ）および図２０（ｂ）は、２０代の下垂していないバストと、４０代〜５０代の下垂したバストとを比較する図である。
【図２１】図２１（ａ）および図２１（ｂ）は、水中におけるバストのシルエットに近づけるための方法について説明する図である。
【図２２】図２２は、身体におけるランゲルラインを模式的に示す図である。
【発明を実施するための形態】
【０００９】
本発明者等は、バスト全体を高い位置に持ち上げるため、鋭意研究を行った。図２０に、２０代の下垂していないバストと、４０代〜５０代の下垂したバストとを比較する図を示す。図２０（ａ）は、下垂していないバストのヌードの状態を示す図である。また、図２０（ｂ）は、下垂したバストを示す図であり、（ｂ）のうち、（ｂ−１）はヌードの状態を示し、（ｂ−２）はブラジャーを着用した状態を示し、（ｂ−３）は水中での状態を示す。（ｂ―２）で着用しているブラジャーは、従来のバストを押し上げる機能を有するブラジャーである。各図において、上段は、バストを正面から見た状態であり、下段は、バストを側方向から見た状態である。図中に二点鎖線で示す線は、第３肋骨の位置を示す。また、図中の破線は、バストの位置の比較のために付加している。
【００１０】
まず、ヌードの状態について比較すると、図２０（ａ）では、バストのボリュームが高い位置にあり、第３肋骨付近より上からなだらかに膨らみがあるのに対し、図２０（ｂ−１）では、バストのボリュームが低い位置に下がり、バスト上部（以下「上胸」ともいう。）のボリュームが削げていることがわかる。また、（ｂ−１）は、（ａ）と比べてバストの付き位置が低いことがわかる。次に、（ｂ−２）について見ると、ブラジャーを着用することによって、ヌードの状態（ｂ−１）と比べてバストに丸みが出ているが、（ａ）と比較すると、上胸にボリュームが出ていない。また、バストの付き位置も低いままである。これにより、従来のブラジャーを着用しても、バスト全体を持ち上げることができていないことがわかる。
【００１１】
これに対し、図２０（ｂ−３）について見ると、水中では、バスト全体が持ち上がり、上胸にボリュームが出るとともに、バストの付き位置も高くなって、図２０（ａ）のシルエットに近くなっていることがわかる。このように、本発明者等は、水中に入ると、下垂したバストでも２０代の下垂していないバストのシルエットに近づくことを発見し、下垂したバストを水中におけるシルエットに近づける方法について鋭意検討を行った。
【００１２】
そこで、本発明者等は、図２２に示すバスト周辺のランゲルライン（皮膚割線）の構成に着目した。図２２左側に円で囲んで示すように、バストの前中心側から延びるランゲルラインと脇側から延びるランゲルラインとが合流する部分があることが判る。本発明者等は、試行錯誤を繰り返す中で、前記合流部分周辺の皮膚を上方に押し上げることによって、バスト全体（図２２右側に破線で囲んで示す部分）を上方に持ち上げる効果が得られるという知見を得た。
【００１３】
ここで、図２１に、水中におけるバストのシルエットに近づけるための方法について説明する図を示す。図２１（ａ）および図２１（ｂ）では、図２０で示した下垂したバストに対し、３ｃｍ四方の格子状のラインを描いている。各図において、上段は、バストを正面側から見た状態を示す斜視図であり、下段は、バストを側方向から見た状態である。まず、図２１（ａ）に示すように、従来の下から押し上げる方法でバストを押し上げた場合、押し上げられた部分（図中において二点鎖線で囲む部分）のみバストの形が大きく変形し、上バスト側は前記の押し上げられた部分の上方部分とその周辺にだけバストの膨らみが形成され、効果的にバスト全体を造形することはできていない。これに対し、図２１（ｂ）に示すように、バスト上部を上方向に引き上げると、バスト全体が持ち上がり、高い位置にボリュームを移動させることができた。そして、本発明者等の研究の結果、バスト上部の中でも、特に、バストトップを通る第１仮想垂線αと、第１仮想垂線αの脇側３ｃｍの位置を通り第１仮想垂線αと並行を成す第２仮想垂線βと、バストトップ上方を通り、バストトップまでの距離が３ｃｍである第１仮想水平線α´と、第１仮想水平線α´の上方３ｃｍの位置を通る第２仮想水平線β´とによって囲まれた領域（図２１（ｂ）中に斜線で示す領域Ｙ）の少なくとも一部に上方向の力をかけることによって、効果的にバスト全体を持ち上げることができることが判明した。この領域Ｙは、図２２左側に示すランゲルラインの合流部分周辺に該当する。
【００１４】
また、本発明者等は、上記の知見を基に、第１仮想水平線α´の位置をバストトップの上方位置２ｃｍに設定し、第２仮想水平線β´の位置を第１仮想水平線α´の上方４ｃｍとし、第１仮想垂線α、第２仮想垂線βについては上記と同様とした領域Ｙ´についても、検討を行ったところ、上記と同様にバスト全体を持ち上げる効果が得られることが判明した。この領域Ｙ´も図２２左側に示すランゲルラインの合流部周辺に該当する。
【００１５】
以上により、本発明者等は、バスト上部に直接、上向きの力を付加することによって、バスト全体を高く持ち上げることが可能となることを見出し、本発明を完成するに至った。
【００１６】
以下、本発明のカップ部を有する衣類について、例をあげて説明する。ただし、本発明は、以下の例に限定および制限されない。なお、下記図１〜図２２において、同一部分には同一の符号を付している。
【００１７】
（第１の実施形態）
図１に、本発明の第１の実施形態としてブラジャー１００を示す。図１は、ブラジャー１００の斜視図である。
【００１８】
本実施形態のブラジャー１００は、一対のカップ部１０１およびバック部１０３を含んだ、いわゆる３／４カップタイプのブラジャーである。本実施形態において、一対のカップ部１０１の下縁には、一対のカップ支持部１０２が取り付けられ、バック部１０３は、カップ支持部１０２の脇側に取り付けられている。本実施形態において、カップ支持部１０２には、ワイヤー（図示せず）が設けられている。そして、カップ支持部の下縁には、土台部１１０が設けられている。また、本実施形態において、ブラジャー１００は、さらに一対の肩ストラップ１０４を備えている。本実施形態のブラジャー１００のカップ部１０１は、非着用状態においてカップ形状を保持できるように張りを有する素材によって形成されている。ここで、張りを有する素材としては、不織布または伸び難いウレタン素材等が挙げられる。
【００１９】
本発明において、カップ部１０１は、カップ部１０１肌側の前中心側上辺部分と脇側上辺部分との間に、上バスト保持部１０５を含む。上バスト保持部１０５は、バストトップよりも脇側斜め上方に位置する上バスト領域の少なくとも一部を覆うように形成され、前記一部に押圧力を作用させる。ここで、「上バスト」とは、バストトップよりも上側のバスト部分をいう。本実施形態では、上バスト保持部１０５は、伸縮性を有する。
【００２０】
図２に、上バスト保持部１０５の図を示す。図２に示すように、本実施形態において、上バスト保持部１０５は、上辺Ｌおよび下辺Ｍを有する。ここで、「上」「下」とは、着用状態における上下方向をいう。そして、本実施形態では、上バスト保持部１０５は、その上辺Ｌ側と下辺Ｍ側のうち、下辺Ｍの少なくとも一部がカップ部１０１から離間（遊離）するようにカップ部１０１肌側に取り付けられており、下辺Ｍ側の方がカップ部１０１方向（すなわち、カップ部の肌側面に接近する方向）に変位し易くなっている。本実施形態では、図２（ａ）に示すように、上バスト保持部１０５の上下辺Ｌ、Ｍは、カップ部１０１の湾曲に対応して弧状を呈している。ただし、本発明において、上バスト保持部はこれに限られず、例えば、図２（ｂ）に示すように、カップ部１０１の湾曲が少ない場合またはカップ部の仕様等に応じて、上下辺Ｌ、Ｍの少なくとも一方を直線状に形成するようにしてもよい。この場合において、当て布等の部材を下辺側で折り返して折り返し部分が下辺Ｍとなるように上バスト保持部を構成することによって、下辺Ｍ側部分の肌触りを良好なものとしてもよい。
【００２１】
以下に、上バスト保持部の配置の仕方について、具体的に説明する。図３に、本実施形態のブラジャー１００のカップ部１０１を、図１におけるＩ−Ｉ方向に見た断面図を示す。図３に示すように、本実施形態において、上バスト保持部１０５の上辺Ｌは、カップ部１０１の上辺に取り付けられ、上バスト保持部１０５の下辺Ｍは、カップ部１０１から一定の距離Ｇをおいて遊離するように配置されている。これにより、着用時にカップ部１０１にバストを挿入した際、バストに上バスト保持部１０５が密着する。そして、図３に示すように、距離Ｇは上バスト保持部１０５の上辺Ｌから下辺Ｍに向かうにつれて大きくなるため、上辺Ｌ側は、カップ部１０１方向に押しても動きにくいのに対し、下辺Ｍ側は、カップ部１０１方向に変位しやすくなる。なお、本実施形態において、上バスト保持部１０５の上辺Ｌは、縫着によりカップ部１０１の上辺へ取り付けられている。ただし、本発明はこれに限られず、前記上辺Ｌのカップ部への取り付け方は、特に制限されない。
【００２２】
このように、本実施形態のようにカップ部が非着用状態においてカップ形状を保持できるように張りを有する素材によって形成されている場合、上バスト保持部１０５の上辺Ｌがカップ部１０１の上辺に取り付けられ、上バスト保持部１０５の下辺Ｍが、カップ部１０１から一定の距離をおいて遊離するように配置されることで、着用時に上バスト保持部がバストに密着する。なお、前述のように、本実施形態のブラジャー１００は３／４カップタイプのブラジャーであるところ、３／４カップタイプのブラジャーの場合、一般的に、カップ部は、本実施形態のように非着用状態においてカップ形状を保持できるように張りを有する素材によって形成されていることが多い。
【００２３】
一方、カップ部が、例えばストレッチレース等の伸縮性を有する素材によって形成されている場合は、上バスト保持部は、上記と同様に配置してもよいが、これに限られず、上バスト保持部の下辺が、カップ部から一定の距離をおいて遊離せずにカップ部に沿うように配置されていてもよい。カップ部が伸縮性を有する素材によって形成されている場合については、後述する。
【００２４】
図４に、本実施形態における上バスト保持部の作用を説明する図を示す。図４は、着用時のカップ部１０１を、図１におけるＩ−Ｉ方向に見た断面図である。図４に示すように、着用時にバストＷをカップ部１０１に挿入した際、前述のとおり上バスト保持部１０５がカップ部１０１の肌側にあり、かつ、上辺Ｌがカップ部１０１の上辺に固着され、下辺Ｍがカップ部１０１から一定の距離Ｇをおいて遊離していることにより、上バスト保持部１０５がバストＷに押され、上バスト保持部１０５がバストＷに密着する。これにより、バストＷの上バスト保持部１０５が密着する部分に押圧力が作用する。また、本実施形態では、上バスト保持部１０５は伸縮性を有するため、バストＷに押されて伸びることによって元に戻ろうとする復元力が生じ、この復元力は、バストＷを体側に押し込む前記押圧力としてバストに作用する。なお、本実施形態では、図３に示すように、距離Ｇが上バスト保持部１０５の上辺Ｌ側よりも下辺Ｍ側の方が長くなるため、下辺Ｍ側の方がカップ部１０１方向に変位し易い。一方、下辺Ｍは、カップ部１０１に縫着されていないため、着用状態で発生するバストＷを体側に押し込む押圧力は中央部分が最も大きく上下辺側に向かうにつれて小さくなる。
【００２５】
ここで、本実施形態のブラジャー１００の好ましい着用の仕方を説明する。まず、図７（ａ）は、一般的なブラジャーの装着方法を説明する図である。図７（ａ）（ｉ）および（ｉｉ）に示すように、ヌード状態からブラジャーを着用する際には、一旦、前屈みの姿勢を取りつつ、左右のバック部を背中部分で連結し、且つ、左右のバストをカップ部内に手で整えながら収納する。なお、この動作について、バストをカップ部内に「入れ込む」と表現することもある。そして、バストの入れ込み作業が完了してから立位姿勢に戻り（図７（ａ）（ｉｉｉ）参照）、ブラジャーの着用動作が完了する。
【００２６】
図７（ｂ）は、従来のブラジャーにバストを上記のように入れ込む動作を行う際の、バストおよびカップ部の様子を模式的に示すものである。一方、図７（ｃ）は、本実施形態に係るブラジャー１００のカップ部内にバストを入れ込む際の様子を模式的に示すものである。図７（ｂ）（ｉｉ）に示すように、従来のブラジャーを着用する際には、前屈みの姿勢でカップ部内にバストを入れ込む動作を行う際には上バスト部分（図中に星印で示す部分）とカップ部の上辺部分は密着していないため、立位姿勢に戻るとともに離間する（図７（ｂ）（ｉｉｉ）参照）。
【００２７】
これに対し、本実施形態に係るブラジャー１００では、図７（ｃ）（ｉｉ）に示すように、バストをカップ部内に入れ込む際に、バスト上部が上バスト保持部１０５に密着する。このように前屈みの姿勢となることで、上バスト保持部１０５が接する上胸部分はヌード状態よりもバストボリュームが大きくなっており、上バスト保持部１０５が上胸部分のバストボリュームにやや食い込むようにして密着する。この際、上バスト保持部１０５がバストを押し込む力は、上記にて説明したように、中央部分が最も大きい。そして、この状態で立位姿勢に戻ると、上バスト保持部１０５がバスト上部に押圧しつつ密着しているため（図７（ｃ）（ｉｉｉ）参照）、上記の前屈みの姿勢となった際のバストアップした状態がバスト上部で維持され、上胸にボリュームのある状態を作り出すことができる。このため、本実施形態に係るブラジャー１００を着用する際には、上記の前屈みの姿勢となる際に上半身が略水平に近くなる程度まで深く前屈みとなることによって、上胸にしっかりとボリュームのある状態を作り出すことができる。なお、上半身が約３０〜４５度前後前傾する程度に浅目に前屈みとなることによっても、上胸にボリュームのある状態を作り出すことは可能であるが、ボリューム感をしっかり出したい場合には、上記のように深く前屈みとなって入れ込み動作を行うことが好適である。また、本実施形態では、前屈みとなってバストの入れ込み動作を行う例を挙げているが、例えば、前屈みにならず、手でバストを持ち上げて上胸部分にボリュームがある状態としつつブラジャー１００を着用するようにしても、上記のように入れ込み動作を行った場合と同様の効果が得られる。このように、本発明のブラジャー１００によれば、上記のように前屈みの姿勢となったときのバストアップした状態を立位姿勢において維持できるため、下垂したバストであっても上胸部分にボリュームのある状態にバストを造形することができる。
【００２８】
本実施形態において、上バスト保持部１０５は、着用状態において、バストトップを通る第１仮想垂線と、前記第１仮想垂線の脇側３ｃｍの位置を通り前記第１仮想垂線と並行を成す第２仮想垂線と、バストトップ上方を通り、バストトップまでの距離が３ｃｍである第１仮想水平線と、前記第１仮想水平線の上方３ｃｍの位置を通る第２仮想水平線とによって囲まれたバストの領域（図２１（ｂ）において斜線で示す領域Ｙ）を押圧するように形成されている。本実施形態において、図１に二点鎖線で四角に囲む位置Ｘが、前記領域Ｙに接し、押圧する部分である。前述のとおり、前記領域Ｙの少なくとも一部を引き上げると、効果的にバスト全体を持ち上げることができる。したがって、この領域Ｙに接する位置Ｘに上バスト保持部を配置することにより、上バスト保持部によって前記領域Ｙの少なくとも一部を引き上げることができるため、バスト全体を効果的に持ち上げることができる。すなわち、着用状態において、上バスト保持部１０５が前記領域Ｙの少なくとも一部を押圧しつつ密着することで、バスト全体が持ち上がった状態をバスト上部で効果的に維持することができる。ただし、本発明はこれに限られず、上バスト保持部は、カップ部肌側の前中心側上辺部分と脇側上辺部分との間に、バストトップよりも脇側斜め上方の上バスト領域の少なくとも一部を覆うように配置されていればよい。
【００２９】
なお、本実施形態では、上バスト保持部１０５がバストを押圧する領域を前記領域Ｙの一部とする例を挙げているが、本発明は、これに限定されるものではない。例えば、第１仮想水平線α´の位置をバストトップの上方２ｃｍに設定し、第２仮想水平線β´の位置を第１仮想水平線α´の上方４ｃｍとし、第１仮想垂線α、第２仮想垂線βについては上記の領域Ｙと同様とする領域Ｙ´の少なくとも一部を上バスト保持部が押圧するように位置Ｘを設定してもよい。この場合にも本実施形態に係るブラジャー１００と同様の効果を得ることができる。なお、領域Ｙと領域Ｙ´のうち、いずれの領域を押圧するように上バスト保持部を設けるかは、例えば、ブラジャーのカップ形状等の商品の仕様を踏まえ、適宜選択すればよい。
【００３０】
本実施形態において、上バスト保持部１０５は、伸縮性の素材で形成されている。前記伸縮性の素材としては、例えば、パワーネット等の目の粗い素材、その他の伸縮性素材、端始末が不要である、いわゆるフリーカット素材等があげられる。図５に、カップ部１０１を肌側から見た図を示す。上バスト保持部１０５は、伸縮性の素材で形成されているため、図５に示すように、上バスト保持部１０５がバストに押されて伸びる。そして、上バスト保持部１０５が伸びると、もとに戻ろうとする復元力が生じ、その復元力によって、上バスト保持部１０５の一つ一つの編み目部分または生地表面の起伏がバストを掴むようにして保持し、全体としてバストをしっかりと保持することができる。また、上バスト保持部の組織等を部分的に変化させることによって、上バスト保持部の伸縮性を位置ごとに変化させてもよい。例えば、前記位置Ｘに該当する部分については、伸縮性を大きくし、その他の部分については、前記位置Ｘよりも伸縮性を低くしていてもよい。ただし、本発明において、上バスト保持部は、前述のように上バスト領域の少なくとも一部を押圧するように形成されていればよく、伸縮性の素材で形成されていなくてもよい。
【００３１】
本発明において、上バスト保持部は、メッシュ状部材であることが好ましい。これにより、上バスト保持部とバストとの間に摩擦抵抗力が生じ、上バスト保持部が滑りにくくなるため、より効果的にバストボリュームを高い位置で維持することができる。
【００３２】
本実施形態において、上バスト保持部１０５は、バストトップを覆うように配置され、下辺Ｍはカップ部１０１に縫着されていないため、下辺Ｍと上辺Ｌとの中間に位置する部分でのバストを押圧する力が最も大きくなる。図１、図３および図４において、Ｔで示す部分は、カップ部１０１におけるバストトップ位置である。これにより、上バスト保持部１０５が均等にバストを押圧する場合よりも、大きな押圧力をバストに作用させることができるため、バストアップした状態をより長時間維持し易くなる。ただし、本発明はこれに限られず、上バスト保持部は、カップ部肌側の前中心側上辺部分と脇側上辺部分との間に、バストトップよりも脇側斜め上方の上バスト領域の少なくとも一部を覆うように配置されていればよいことは、前述のとおりである。本実施形態において、下辺Ｍとカップ部との間の距離Ｇは、例えば、０．５ｃｍ〜３ｃｍの範囲に設定されていることが好ましく、より好ましくは１〜２ｃｍの範囲である。
【００３３】
本発明において、上バスト保持部の上下方向の幅は、特に制限されないが、下辺がバストトップを覆う位置であることが好ましい。より好ましくは、上バスト保持部の下辺が、バストトップを完全に覆うように形成されていれば、バストをしっかりと保持できる。
【００３４】
本実施形態のブラジャー１００によれば、例えば、第３肋骨付近にまで膨らみを出すことができる。第３肋骨付近に膨らみが出ると、豊かで若々しいバストシルエットとなる。なお、本実施形態において、ブラジャー１００は、前述のとおり、肩ストラップ１０４を有している。これにより、図６に白抜き矢印で示すように、肩ストラップ１０４の引き上げ力によって上バスト保持部１０５とバストとの密着性を高め、長時間着崩れ難くすることができる。ただし、本発明において、肩ストラップは必須の構成要素ではない。本発明は、肩ストラップが着脱可能に取り付けられた、ストラップレスタイプのブラジャーにも適用できる。
【００３５】
本発明は、パッドと合わせて使用してもよい。この場合、パッドの装着の仕方は特に制限されず、従来と同様の方法を用いることができる。図８に、本実施形態のブラジャー１００をパッド１０６と合わせて使用する場合の一例を示す。図８（ａ）は、本例の斜視図であり、図８（ｂ）は、図８（ａ）におけるＩＩ−ＩＩ方向に見たカップ部１０１の断面図である。本例において、パッド１０６は、カップ部１０１の肌側に設けられたポケット１０７に挿入されている。このように、パッドと合わせて本発明を使用することにより、上バスト部分にボリュームが形成された状態を維持しつつ、バストをパッドによって下から支えることもできるため、より効果的にバストを持ち上げることができる。
【００３６】
本実施形態のブラジャーでは、バック部１０３の連結係止部として、ホック（例えば、フック・アンド・アイ（鈎ホック））を使用することができるが、他の種類の係止具を使用してもよい。また、バック部１０３が連結係止部を有していなくてもよい。例えば、本発明は、連結係止部を前中心に設けてフロントホックタイプとしてもよい。また、本発明は、連結係止部がないタイプ、バック部を結んで係止するタイプであってもよい。
【００３７】
前記連結係止部としては、ホック（例えば、フック・アンド・アイ（鈎ホック））、グリッパー、ボタン、紐、面ファスナーなどを、デザインまたは用途に応じて適宜選択して使用することができる。なお、上記のフック・アンド・アイ、グリッパーまたはボタンを用いる場合には、複数の留め位置を予め設けておくことにより、締め付け具合を微調整できるようにしておくことも好ましい。なお、上記以外の他の種類の係止具を使用してもよい。
【００３８】
本実施形態においては、肩ストラップ１０４の一端がカップ部１０１に直接取り付けられ、肩ストラップ１０４の他端が係止具１０８Ａによってバック部１０３の上辺部に取り付けられている。また、肩ストラップ１０４には、長さ調節具１０８Ｂが取り付けられている。肩ストラップ１０４のバック部１０３の上辺部への取り付け方は、肩ストラップ１０４の他端を係止具１０８Ａに通し、反転させて、長さ調節具１０８Ｂに導入する。前記係止具としては、例えば、円環、Ｚ環、エイト環等を使用することができる。また、前記長さ調節具としては、例えば、エイト環、円環等を使用することができる。なお、肩ストラップ１０４の一端は、係止具によってカップ部１０１の上部に取り付けられてもよいし、肩ストラップの他端は、バック部１０３の上辺部に直接固着されても良い。また、肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状またはブラジャーのデザインによって適宜決定することができる。肩ストラップ１０４は、カップ部１０１を肩から吊り下げるものであれば特に制限されない。肩ストラップ１０４は、紐または布テープであってもよいし、タンクトップのような幅の広い、いわゆるラウンドタイプのストラップであってもよい。肩ストラップ１０４の態様は、一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００３９】
本実施形態において、肩ストラップ１０４は、上バスト保持部１０５の脇側部分に連結されている。なお、本発明において、肩ストラップの連結位置はこれに限られず、本実施形態のように３／４カップタイプのブラジャーである場合、上バスト保持部よりも脇側の位置に肩ストラップが連結されていてもよい。
【００４０】
本実施形態では、ブラジャー１００は、土台部１１０を介して、左右のカップ支持部１０２が連結されるとともに、カップ支持部１０２とバック部１０３とが連結されている例をあげて説明した。しかし、本発明は、これに限定されるものではない。例えば、土台部１１０を備えない、いわゆるメガネタイプのブラジャーとしてもよい。より具体的には、バック部１０３がカップ支持部１０２に直接連結されるように前方へ延び、左右のカップ支持部１０２の前中心側部分同士を連結する連結部材を別途備える態様とすることができる。また、本実施形態では、ブラジャー１００は、カップ支持部１０２にワイヤーを有しているが、本発明は、カップ支持部にワイヤーを有しないノンワイヤータイプの衣類にも適用できる。また、例えば、カップ部１０１の肩ストラップ１０４との連結位置とカップ支持部１０２の脇側端部との間のカップ部１０１の脇側上辺部とも連結するように土台部を形成し、肩ストラップ１０４を、カップ部１０１に連結する代わりに、前記の土台部に連結するようにしてもよい。この態様は、例えば、スポーツ用途のブラジャー、または、ブラジャーを内蔵するタイプの衣類等、主としてノンワイヤータイプのカップ付衣類に好適である。
【００４１】
以上、第１の実施形態としては、３／４カップのブラジャーを例示して説明したが、本発明はこれに限定されず、本発明は、例えば、フルカップまたは１／２カップのブラジャー等にも適用することができる。
【００４２】
（着用客観評価１）
本実施形態のブラジャー１００を作製し、着用評価を行った。前記ブラジャー１００は、図８に示す例と同様、パッドを有しているタイプとした。また、上バスト保持部１０５には、メッシュ状のパワーネットを使用した。
【００４３】
図１８は、バストサイズが大きいモニター、および、バストサイズが小さいモニターが、前記ブラジャー１００および従来品のパッドを有するブラジャーを着用した場合のバストのシルエットを、横方向から赤外線撮影した結果を示す図である。本評価では、バストのシルエットがわかりやすくなるように、ブラジャー１００および前記従来品のブラジャーともに、透明のカップ部を使用した。図１８において、カップ部は省略している。図１８（ａ）は、バストサイズが大きいモニターの結果であり、図１８（ｂ）は、バストサイズが小さいモニターの結果である。そして、図１８（ａ）および（ｂ）において、それぞれ、左側が前記従来品のブラジャーを着用した結果であり、右側が本発明のブラジャー１００を着用した結果である。
【００４４】
まず、図１８（ａ）について見ると、バストサイズが大きいモニターの場合、前記従来品のブラジャーを着用した場合は、バスト下部は持ち上がっているものの、バスト上部にはボリュームが出ず削げたままであるのに対し、本実施形態のブラジャー１００を着用した場合には、水中でのバスト形状のように上下均等にバストの膨らみが形成されつつ、バスト上部がふっくらと盛り上がったシルエットになっている。また、前記従来品のブラジャーを着用した場合と比較して、本実施形態のブラジャー１００を着用した場合には、バストの付き位置が高くなっている。次に、図１８（ｂ）について見ると、バストサイズが小さいモニターの場合も、前記従来品のブラジャーを着用した場合はバスト上部が削げたままであるのに対し、本実施形態のブラジャー１００を着用した場合には、前記従来品のブラジャーを着用した場合と比較して、図１８（ａ）に示す場合と同様に、水中でのバスト形状のように上下均等にバストの膨らみが形成されつつ、バスト上部がふっくらと盛り上がった状態となっている。また、前記従来品のブラジャーを着用した場合と比較して、本実施形態のブラジャー１００を着用した場合には、バストの付き位置が高くなっている。これにより、本実施形態のブラジャー１００によれば、バストの大きさに関わらず、バスト全体を高く持ち上げてバスト上部にボリュームを出すことができることがわかった。
【００４５】
（着用客観評価２）
本実施形態のブラジャー１００を作製し、着用評価を行った。前記ブラジャー１００は、図８に示す例と同様、パッドを有しているタイプとした。また、上バスト保持部１０５には、メッシュ状のパワーネットを使用した。
【００４６】
図１９は、前記ブラジャー１００、並びに、従来品のブラジャーＡおよびブラジャーＢについて、それぞれ、バストサイズＣ７０の同一のモニターが着用し、一日の生活を想定した運動をした後の状態で写真撮影し、モアレ干渉縞による立体的な造型性を等高線で示した結果の図である。前記ブラジャーＡ、および、前記ブラジャーＢは、いずれも下垂したバストを盛り上げる効果を有するブラジャーとして用いられていたものである。図１９において、（ｂ）が従来品のブラジャーＡ、（ｃ）が従来品のブラジャーＢ、（ｄ）が本実施形態のブラジャー１００での結果であり、それぞれ、一段目は正面から撮影した結果、二段目は側方向から撮影した結果、三段目は上方向から撮影した結果、四段目はＴシャツを着用した状態で側方向から撮影した結果の図である。また、図１９（ａ）は、同一モニターのヌードの状態を示す図である。図１９の一段目に示した二点鎖線は、第３肋骨の位置を示す。また、図１９の二段目に示した２本の二点鎖線は、バストトップ位置およびブラジャーの付き位置の比較のために付加しており、矢印は、第３肋骨の位置を示す。また、図１９の四段目の二点鎖線は、バストトップ位置の比較のために付加している。
【００４７】
まず、図１９の一段目の図について比較すると、本実施形態のブラジャー１００着用時には、従来品のブラジャーＡおよびＢ着用時よりも高い位置にバストが持ち上がっていることがわかる。また、本実施形態のブラジャー１００着用時には、従来品のブラジャーＡおよびＢ着用時と比べて第３肋骨付近における等高線の間隔が狭くなっており、第３肋骨付近に膨らみがあることがわかる。さらに、本実施形態のブラジャー１００着用時には、上胸の脇側における傾斜（削げ）がほとんどないことがわかる。次に、図１９の二段目の図について比較すると、従来品のブラジャーＡおよびＢ着用時は、上胸のボリュームが削げているのに対し、本実施形態のブラジャー１００着用時には、上胸にボリュームがあることがわかる。そして、本実施形態のブラジャー１００着用時には、バストが高く持ち上がり、第３肋骨の位置にまで膨らみが出ていることがわかる。また、本実施形態のブラジャー１００着用時は、従来品のブラジャーＡおよびＢ着用時よりもバストトップの位置およびアンダーバストの位置が高くなっている。次に、図１９の三段目の図について比較すると、本実施形態のブラジャー１００着用時は、従来品のブラジャーＡおよびＢ着用時に劣らず、前方向へ突出したシルエットであることがわかる。次に、図１９の四段目の図について比較すると、従来品のブラジャーＡおよびＢ着用時には、上胸のボリュームが削げてバストのボリュームが少なく見えるのに対し、本実施形態のブラジャー１００着用時には、上胸がふっくらとした、ボリュームのあるバストシルエットとなっていることがわかる。これにより、本実施形態のブラジャー１００によれば、バスト全体を高い位置に持ち上げ、上胸にボリュームのあるバストに造形できることがわかった。また、本実施形態のブラジャー１００によれば、上記のように運動を行った後においても他のブラジャーよりもバストトップが高い位置に保たれた状態でバストが造形されており、運動による着崩れが少ないこともわかった。
【００４８】
（着用主観評価）
本実施形態のブラジャー１００を作製し、着用評価を行った。前記ブラジャー１００は、図８に示す例と同様、パッドを有しているタイプとした。また、上バスト保持部１０５には、メッシュ状のパワーネットを使用した。モニターは、加齢によるバストの下垂が始まった３０代後半〜５０代の８名とした。前記モニターのバストサイズは、大が３名、中が２名、小が３名とした。また、比較例として、同じモニター８名に、前記ブラジャーＡおよびブラジャーＢを着用してもらった。
【００４９】
その結果、ブラジャーＡと比較した場合は８名中７名が、ブラジャーＢと比較した場合には８名中５名が、本実施形態のブラジャー１００の方がよりバストアップしていると回答した。また、ブラジャーＡと比較した場合は８名中８名が、ブラジャーＢと比較した場合には８名中７名が、本実施形態のブラジャー１００の方がなりたい若々しいバストに近いと回答した。また、本実施形態のブラジャー１００についてコメントを求めたところ、「ふっくらとボリュームのあるバスト・デコルテのシルエットとなる」、「運動後も、上胸の高い位置に厚みがある」、「バスト自体が引き上げられている」、「バストトップ点が高い」、「バストの付き位置が高い」という回答が得られた。これにより、本実施形態のブラジャー１００は、バスト全体を引き上げ、上胸にボリュームを出すことができることが確認できた。
【００５０】
（第２の実施形態）
図９に、本発明の第２の実施形態としてブラジャー２００を示す。図９は、ブラジャー２００の斜視図である。
【００５１】
図１０に、図９におけるＩＩＩ−ＩＩＩ方向に見たカップ部２０１の断面図を示す。図１０に示すように、本実施形態のブラジャー２００では、上バスト保持部２０５が、上バスト保持部２０５Ａ、および、上バスト保持部２０５Ａよりも幅が広い上バスト保持部２０５Ｂの２枚で形成されている。図１０に示すように、本実施形態では、上バスト保持部２０５Ｂの肌側に、上バスト保持部２０５Ａが重ねて配置されている。本実施形態において、上バスト保持部２０５Ａおよび２０５Ｂは、それぞれ、上辺がカップ部２０１上辺に固着され、下辺はカップ部２０１から遊離している。その他は、前記第１の実施形態と同様である。このように上バスト保持部２０５を形成することにより、上バスト保持部２０５の上辺側が二重となるため、上バスト保持部２０５の上辺側の押圧力をより高め、よりバストをしっかりと保持することができる。
【００５２】
（第３の実施形態）
図１１に、本発明の第３の実施形態としてブラジャー３００を示す。図１１は、ブラジャー３００の斜視図である。
【００５３】
図１１に示すように、本実施形態において、上バスト保持部３０５は、カップ部３０１の上部全体ではなく、一部に配置されている。本実施形態において、上バスト保持部３０５は、着用状態でバストトップを通る第１仮想垂線と、前記第１仮想垂線の脇側３ｃｍの位置を通り前記第１仮想垂線と並行を成す第２仮想垂線と、バストトップ上方を通り、バストトップまでの距離が３ｃｍである第１仮想水平線と、前記第１仮想水平線の上方３ｃｍの位置を通る第２仮想水平線とによって囲まれたバストの領域に接する位置Ｘを含む位置に配置され、かつ、バストトップ上部を跨いで配置されている。また、本実施形態において、上バスト保持部３０５の左右両側の側辺ＱおよびＲは、カップ部３０１に固着されている。ここで、「左右」とは、前側から見た左右であっても、後側から見た左右であってもよい。その他は、前記第１の実施形態と同様である。このように、本発明において、上バスト保持部は、カップ部肌側の前中心側上辺部分と脇側上辺部分との間の、バストトップよりも脇側斜め上方の上バスト領域の少なくとも一部を覆うように設けられていればよく、上バスト保持部を配置する領域は、実現したいバストのシルエットまたはデザイン等によって、適宜決定することができる。
【００５４】
なお、本実施形態では、側辺Ｒがカップ部３０１の前中心寄り上辺側部分に固着されている例を挙げているが、本発明はこれに限定されるものではない。例えば、カップ部３０１の仕様に応じて、上バスト保持部３０５の側辺Ｒをカップ支持部１０２に連結するようにしてもよい。また、本実施形態では、側辺Ｑがカップ部３０１の脇側寄りの上辺側部分に固着されている例を挙げているが、本発明はこれに限定されるものではない。例えば、カップ部３０１の仕様に応じて、上バスト保持部３０５の側辺Ｑをカップ支持部１０２の脇側端部に近接する位置でカップ部３０１に連結するようにしてもよい。
【００５５】
（第４の実施形態）
図１２に、本発明の第４の実施形態としてブラジャー４００を示す。図１２は、ブラジャー４００の斜視図である。本実施形態のブラジャー４００は、いわゆるフルカップタイプのブラジャーである。本実施形態のブラジャー４００のカップ部４０１は、例えばストレッチレース等のような伸縮性を有する素材によって形成されている。
【００５６】
図１３に、本実施形態における上バスト保持部４０５の図を示す。図１３に示すように、本実施形態における上バスト保持部４０５は、上辺Ｌ１、下辺Ｍ１、脇側側辺Ｑ１、および、前中心側側辺Ｒ１を有する。
【００５７】
本実施形態における、上バスト保持部４０５の配置の仕方について説明する。図１４に、本実施形態のブラジャー４００のカップ部４０１を、図１２におけるＩＶ−ＩＶ方向に見た断面図を示す。まず、図１２に示すように、上バスト保持部４０５の上辺Ｌ１の前中心側Ｌ２は、カップ部４０１の前中心側上辺に取り付けられ、脇側側辺Ｑ１は、カップ部４０１の脇側上辺に取り付けられている。前記上辺Ｌ１の前中心側Ｌ２および脇側側辺Ｑ１のカップ部４０１への取り付け方は、特に制限されないが、本実施形態では、縫着により取り付けられている。なお、本実施形態では、前記上辺Ｌ１のＬ２以外の部分はカップ部４０１に固着されていないが、本発明はこれに限られず、前記上辺Ｌ１すべてがカップ部に固着されていてもよい。そして、図１４に示すように、上バスト保持部４０５の下辺Ｍ１は、カップ部４０５との間に距離を設けず、カップ部４０５に沿うように配置され、カップ部４０１に取り付けられている。本実施形態において、上バスト保持部４０５の下辺Ｍ１は、カップ部４０１に縫着により固着されている。
【００５８】
図１５に、本実施形態における上バスト保持部の作用を説明する図を示す。図１５（ａ）および図１５（ｂ）は、カップ部４０１を、図１２におけるＩＶ−ＩＶ方向に見た断面図である。図１５（ａ）は、着用前の状態を示し、図１５（ｂ）は、着用時の状態を示す。まず、図１５（ａ）および図１５（ｂ）に示すように、着用時にバストＷをカップ部４０１に挿入すると、カップ部４０１が伸縮性を有する素材であることから、カップ部４０１はバストの形状にフィットする。これにより、カップ部４０１上辺部分がバストＷに押され、バストＷに密着した状態となり、それに伴い、上バスト保持部４０５もバストＷに密着する。そして、バストＷの上バスト保持部４０５が密着する部分に押圧力が作用する。また、本実施形態において、上バスト保持部４０５は伸縮性を有するため、バストＷに押されて伸びることによって元に戻ろうとする復元力が生じ、この復元力により、バストＷを押圧するとともにしっかりと保持することができる。
【００５９】
本実施形態のブラジャー４００を着用する際には、前屈みの姿勢を取りつつ、左右のバストをカップ部内に入れ込むことが好ましい。これにより、上胸にしっかりとボリュームのある状態で上バスト保持部４０５をバストに密着させ、その状態を維持することができる。ただし、例えば、前屈みにならず、手でバストを持ち上げて上胸部分にボリュームがある状態としつつブラジャー４００を着用するようにしても、入れ込み動作を行った場合と同様の効果が得られる。
【００６０】
本実施形態において、上バスト保持部４０５の下辺Ｍ１は、カップ部４０１に固着されている。本実施形態のように、カップ部に伸縮性が有る場合には、上バスト保持部の下辺をカップ部に固着していても良い。本実施形態では、前述のとおり下辺Ｍ１は縫着によりカップ部４０１に固着されているが、固着方法は特に制限されない。なお、本発明はこれに限られず、カップ部に伸縮性がある場合において、上バスト保持部の下辺部は、カップ部に固着されていなくてもよい。
【００６１】
また、本実施形態において、肩ストラップ４０４は、上バスト保持部４０５の上方部分でカップ部４０１に連結されていることが好ましい。本実施形態では、図１２に示すように、上バスト保持部４０５は、肩ストラップ４０４のカップ部４０１への取り付け位置Ｓから、一定の間隔を隔てた下方に取り付けられていても良い。ここで、「一定の間隔」とは、特に制限されず、上バスト保持部４０５が肩ストラップ４０４のカップ部４０１への取り付け位置Ｓよりも下方に配置されていればよい。ただし、本発明はこれに限られない。図１６に、本実施形態のその他の例を示す。本発明では、例えば、上バスト保持部４０５を、図１６（ａ）に示すように略三角形状とし、図１６（ｂ）に示すように、肩ストラップが上バスト保持部の上辺に連結していてもよい。
【００６２】
本実施形態において、カップ部４０１に使用できる素材は、伸縮性を有する素材であれば特に制限されないが、例えば、ストレッチレース、パワーネット等が挙げられる。
【００６３】
本実施形態では、カップ部が伸縮性を有する素材で形成されたフルカップタイプのブラジャーについて、上バスト保持部の下辺がカップ部に沿うように配置されている態様について説明した。ただし、本発明はこれに限られず、カップ部が伸縮性を有する素材で形成されている場合でも、前記第１〜第３の実施形態と同様に、上バスト保持部の下辺がカップ部から遊離するように配置してもよい。
【００６４】
（第５の実施形態）
図１７（ａ）に、ブラジャー以外の本発明の実施形態として、ブラキャミソール５００の斜視図を示す。
【００６５】
本実施形態のブラキャミソール５００のブラジャー相当部分は、図１に示したブラジャー１００と実質上同一である。本実施形態のブラキャミソール５００は、土台部１１０の下側に、身頃５０１を有している。本実施形態では、身頃５０１がバック部を兼ねているが、バック部を別途設けてその下に身頃５０１を取りつけてもよい。なお、ここでは、第１の実施形態のブラジャー１００と実質上同一であるブラジャー相当部分を有するブラキャミソールについて説明したが、本発明はこれに限定されず、他の本発明の実施形態のブラジャー相当部分を有するブラキャミソールとすることもできる。
【００６６】
（第６の実施形態）
図１７（ｂ）に、ブラジャー以外の本発明の実施形態として、ブラキャミソール６００の斜視図を示す。本実施形態のブラキャミソール６００は、ブラジャー相当部分を覆うように身頃６０１を有している。本実施形態では、バック部１０３は連結係止部を有しておらず、連結係止部の操作をすることなく着脱ができる態様である。その他のブラジャー相当部分は、図１に示したブラジャー１００と実質上同一である。本実施形態の構成により、カップ部１０１のデザインにかかわらず、着用時の外観のバリエーションを多様にすることができ、また、カップ部１０１を、よりアウターにひびかなくすることもできる。なお、ここでは、第１の実施形態のブラジャー１００と実質上同一であるブラジャー相当部分を有するブラキャミソールについて説明したが、本発明はこれに限定されず、他の実施形態のブラジャー相当部分を有するブラキャミソールとすることもできる。
【００６７】
以上、本発明の実施形態として、ブラジャー、およびブラキャミソールをあげて本発明を説明したが、本発明のカップ部を有する衣類は、これらに限定されるものではなく、種々の態様が可能である。例えば、上記の実施形態のようなファンデーション衣類以外にも、ボディスーツ、ブラスリップ、水着、レオタード、カップ付きタンクトップ、その他各種のカップ部を有する衣類に適用できる。
【産業上の利用可能性】
【００６８】
本発明のカップ部を有する衣類は、バスト全体を高く持ち上げ、バストの造形性を高めることができ、その用途は限定されず、広い分野で使用することができる。
【符号の説明】
【００６９】
１００、２００、３００、４００  ブラジャー（カップ部を有する衣類）
１０１、２０１、３０１、４０１  カップ部
１０２  カップ支持部
１０３  バック部
１０４、４０４  肩ストラップ
１０５、２０５、３０５、４０５  上バスト保持部
１０８Ａ  （円環）係止具
１０８Ｂ  長さ調節具
１１０  土台部
５００、６００  ブラキャミソール
５０１、６０１  身頃
Ｌ、Ｌ１  上バスト保持部の上辺
Ｍ、Ｍ１  上バスト保持部の下辺
Ｇ  距離
【図１】
2014196583.tif 000003
【図２】
2014196583.tif 000004
【図３】
2014196583.tif 000005
【図４】
2014196583.tif 000006
【図５】
2014196583.tif 000007
【図６】
2014196583.tif 000008
【図７】
2014196583.tif 000009
【図８】
2014196583.tif 000010
【図９】
2014196583.tif 000011
【図１０】
2014196583.tif 000012
【図１１】
2014196583.tif 000013
【図１２】
2014196583.tif 000014
【図１３】
2014196583.tif 000015
【図１４】
2014196583.tif 000016
【図１５】
2014196583.tif 000017
【図１６】
2014196583.tif 000018
【図１７】
2014196583.tif 000019
【図１８】
2014196583.tif 000020
【図１９】
2014196583.tif 000021
【図２０】
2014196583.tif 000022
【図２１】
2014196583.tif 000023
【図２２】
2014196583.tif 000024